(57)【要約】【課題】紙媒体の書籍と同様の操作感でページ送りを行なうことができる。【解決手段】電子書籍閲覧装置１の側面に配置された第１のセンサ１４Ｒ，１４Ｌと、当該電子書籍閲覧装置１における表示画面１３とは反対側面に配置された第２のセンサ１５Ｒ，１５Ｌと、第１のセンサ１４Ｒ，１４Ｌに対する操作入力量と、第２のセンサ１５Ｒ，１５Ｌに対する操作入力量とに基づき、誌面画像の表示切替速度を決定する決定部１０１と、決定された前記表示切替速度で、表示画面１３に誌面画像を連続して切り替えて表示させる連続ページめくり表示を行なう表示制御部１０２とを備える。【選択図】図２
2017182167.tif 000002
【特許請求の範囲】
【請求項１】
電子書籍閲覧装置であって、
電子書籍の誌面画像を表示させる表示画面と、
当該電子書籍閲覧装置の側面に配置された第１のセンサと、
当該電子書籍閲覧装置における前記表示画面とは反対側面に配置された第２のセンサと、
前記第１のセンサに対する操作入力量と、前記第２のセンサに対する操作入力量とに基づき、前記誌面画像の表示切替速度を決定する決定部と、
決定された前記表示切替速度で、前記表示画面に前記誌面画像を連続して切り替えて表示させる連続ページめくり表示を行なう表示制御部と
を備えることを特徴とする、電子書籍閲覧装置。
【請求項２】
前記決定部が、前記第１のセンサにおいて、前記表示画面寄りの第１位置で検出される第１圧力が前記反対側面寄りの第２位置で検出される第２圧力よりも低く、且つ、前記第２圧力と前記第１圧力との圧力差が大きいほど、前記表示切替速度を大きくすることを特徴とする、請求項１記載の電子書籍閲覧装置。
【請求項３】
前記決定部が、前記第１のセンサにおいて、前記表示画面寄りの第３位置から前記反対側面寄りの第４位置への接触物の移動量が大きいほど、前記表示切替速度を大きくすることを特徴とする、請求項１または２記載の電子書籍閲覧装置。
【請求項４】
前記決定部が、前記第２のセンサにおいて検出される圧力が大きいほど、前記表示切替速度を大きくすることを特徴とする、請求項１〜３のいずれか１項に記載の電子書籍閲覧装置。
【請求項５】
当該電子書籍閲覧装置における加速度を検出する第３のセンサを備え、
前記表示制御部が、前記連続ページめくり表示が停止中であり、且つ、前記第１のセンサおよび前記第２のセンサの検出値が前記連続ページめくりを開示する条件を満たしていない場合において、前記第３のセンサにおいて検出される加速度が閾値を超えると、前記電子書籍の誌面画像を１ページ切り替えて表示させる１ページめくりを行なうことを特徴とする、請求項１〜４のいずれか１項に記載の電子書籍閲覧装置。
【請求項６】
プロセッサを備える電子書籍閲覧装置において、
表示画面に電子書籍の誌面画像を表示させ、
当該電子書籍閲覧装置の側面に配置された第１のセンサに対する操作入力量と、当該電子書籍閲覧装置における前記表示画面とは反対側面に配置された第２のセンサに対する操作入力量とに基づき、前記誌面画像の表示切替速度を決定し、
決定された前記表示切替速度で、前記表示画面に前記誌面画像を連続して切り替えて表示させる連続ページめくり表示を行なう
処理を、前記プロセッサに実行させる、表示制御プログラム。
【発明の詳細な説明】
【技術分野】
【０００１】
本発明は、電子書籍閲覧装置および表示制御プログラムに関する。
【背景技術】
【０００２】
近年においては、紙媒体の書籍に代えて、携帯端末装置を用いて電子書籍を読むことが行なわれている。
【０００３】
このような携帯端末装置においては、例えばタッチパネルに紙面の画像を表示させ、ユーザがタッチパネルの表面を指でスライドしたり、次ページを表示させるためのボタン等を押下することでページ送りを行なう。
【先行技術文献】
【特許文献】
【０００４】
【特許文献１】特開平７−３１９８９９号公報
【特許文献２】特開２００９−２００６６５号公報
【特許文献３】特開２００３−３４５４９２号公報
【発明の概要】
【発明が解決しようとする課題】
【０００５】
しかしながら、このような従来の携帯端末装置においては、ページ送りを行なうためにタッチパネルの表面を指でスライドすることやページ送りボタンを押下することは、紙媒体の書籍でのページ送り動作と異なり、操作性が悪いという課題がある。
【０００６】
１つの側面では、本発明は、紙媒体の書籍と同様の操作感でページ送りを行なうことができるようにすることを目的とする。
【課題を解決するための手段】
【０００７】
このため、この電子書籍閲覧装置は、電子書籍の誌面画像を表示させる表示画面と、当該電子書籍閲覧装置の側面に配置された第１のセンサと、当該電子書籍閲覧装置における前記表示画面とは反対側面に配置された第２のセンサと、前記第１のセンサに対する操作入力量と、前記第２のセンサに対する操作入力量とに基づき、前記誌面画像の表示切替速度を決定する決定部と、決定された前記表示切替速度で、前記表示画面に前記誌面画像を連続して切り替えて表示させる連続ページめくり表示を行なう表示制御部とを備える。
【発明の効果】
【０００８】
一実施形態によれば、紙媒体の書籍と同様の操作感でページ送りを行なうことができる。
【図面の簡単な説明】
【０００９】
【図１】実施形態の一例としての電子書籍閲覧装置である携帯端末の表面側の外観を示す斜視図である。
【図２】実施形態の一例としての電子書籍閲覧装置である携帯端末のハードウェア構成を示すブロック図である。
【図３】実施形態の一例としての携帯端末の右サイドタッチパネルを示す部分斜視図である。
【図４】実施形態の一例としての携帯端末を実際の書籍と比較して示す図である。
【図５】実施形態の一例としての携帯端末における入力操作例を示す斜視図である。
【図６】実施形態の一例としての携帯端末の裏面側の外観を例示する斜視図である。
【図７】実施形態の一例としての携帯端末における加速度センサの位置を例示する斜視図である。
【図８】実施形態の一例としての携帯端末における煽りを説明するための図である。
【図９】実施形態の一例としての携帯端末のメインタッチパネルに電子書籍を表示させた例を示す図である。
【図１０】実施形態の一例としての携帯端末のメインタッチパネルにおける電子書籍のページめくりを説明するための図である。
【図１１】実施形態の一例としての携帯端末の表示切替速度決定部によるページめくり速度の算出方法を例示する図である。
【図１２】実施形態の一例としての携帯端末における連続めくり時の処理を説明するためのフローチャートである。
【図１３】実施形態の一例としての携帯端末における連続めくり時の処理を説明するためのフローチャートである。
【図１４】実施形態の一例としての携帯端末における１ページめくり時の処理を説明するためのフローチャートである。
【図１５】実施形態の一例としての携帯端末における１ページめくり時の処理を説明するためのフローチャートである。
【図１６】変形例としての携帯端末の右サイドタッチパネルを示す部分斜視図である。
【図１７】変形例としての携帯端末の裏面側の外観を例示する図である。
【発明を実施するための形態】
【００１０】
以下、図面を参照して本電子書籍閲覧装置および表示制御プログラムに係る実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形（実施形態及び各変形例を組み合わせる等）して実施することができる。又、各図は、図中に示す構成要素のみを備えるという趣旨ではなく、他の機能等を含むことができる。
【００１１】
（Ａ）構成
図１は、実施形態の一例としての電子書籍閲覧装置である携帯端末１の表面側の外観を示す斜視図、図２は、そのハードウェア構成を示すブロック図である。
【００１２】
携帯端末１は、使用者が携行可能な情報処理装置であり、図１に示すように矩形の板形状を有している。
【００１３】
携帯端末１は、図２に示すように、主制御部１０，記憶装置１１，メインタッチパネル１３，右サイドタッチパネル１４Ｒ，左サイドタッチパネル１４Ｌ，右感圧センサ１５Ｒ，左感圧センサ１５Ｌおよび加速度センサ１６を備える。
【００１４】
メインタッチパネル１３は、例えば、液晶ディスプレイ等の表示装置と、タッチパッドのような位置入力装置としての機能を一体に構成したタッチパネルである。
【００１５】
このメインタッチパネル１３は、図１に示すように、矩形形状を有し、本携帯端末１の一の面を形成している。以下、本携帯端末１におけるメインタッチパネル１３が配置された面を表面もしくは表側面という。
【００１６】
そして、本携帯端末１においては、このメインタッチパネル１３に、書籍の画像が表示される。従って、メインタッチパネル１３は、電子書籍の誌面画像を表示させる表示画面に相当する。
【００１７】
本携帯端末１において、メインタッチパネル１３の一方の短辺に沿って右サイドタッチパネル１４Ｒが、また、他方の短辺に沿って左サイドタッチパネル１４Ｌが、それぞれ配置されている。
【００１８】
以下、本携帯端末１において、メインタッチパネル１３に対向した状態で、右サイドタッチパネル１４Ｒが配置された側を右側、左サイドタッチパネル１４Ｌが配置された側を左側という。
【００１９】
右サイドタッチパネル１４Ｒおよび左サイドタッチパネル１４Ｌは、それぞれ、液晶ディスプレイ等の表示装置と、タッチパッドのような位置入力装置としての機能を一体に構成したタッチパネルとして備えられている。
【００２０】
図３は実施形態の一例としての携帯端末１の右サイドタッチパネル１４Ｒを示す部分斜視図である。
【００２１】
図３に示すように、右サイドタッチパネル１４Ｒは、本携帯端末１の表面における右側の短辺に沿って配設されている。
【００２２】
右サイドタッチパネル１４Ｒおよび左サイドタッチパネル１４Ｌは、それぞれフレキシブルな液晶ディスプレイを備え、携帯端末１の短辺と平行な軸を中心に円弧状に湾曲している。これにより、右サイドタッチパネル１４Ｒは、メインタッチパネル１３の右側の短辺と本携帯端末１の右側の側面とを円弧状に接続する。また、左サイドタッチパネル１４Ｌは、メインタッチパネル１３の左側の短辺と本携帯端末１の左側の側面とを円弧状に接続する。
【００２３】
右サイドタッチパネル１４Ｒは、その一辺をメインタッチパネル１３の一方の短辺と面一に連続する。すなわち、右サイドタッチパネル１４Ｒは、メインタッチパネル１３の右側に追加する形で追加されたサブディスプレイとして機能する。
【００２４】
左サイドタッチパネル１４Ｌも、本携帯端末１の左側において、右サイドタッチパネル１４Ｒと同様に備えられている。すなわち、左サイドタッチパネル１４Ｌは、本携帯端末１の表面における左側の短辺に沿って配設されている。
【００２５】
また、左サイドタッチパネル１４Ｌは、その一辺をメインタッチパネル１３の一方の短辺と面一に連続する。すなわち、左サイドタッチパネル１４Ｌは、メインタッチパネル１３の左側に追加する形で追加されたサブディスプレイとして機能する。
【００２６】
また、右サイドタッチパネル１４Ｒおよび左サイドタッチパネル１４Ｌは、感圧センサとしての機能を備えており、各表面に接触した操作者の指等による入力操作を検知する。
【００２７】
図４は実施形態の一例としての携帯端末１を実際の書籍と比較して示す図である。この図４中において、符号（Ａ）は、携帯端末１の操作者が電子書籍を閲覧するために携帯端末１を保持している状態を示し、符号（Ｂ）は、読者が書籍を閲覧するために保持している状態を示す。
【００２８】
図４の符号（Ｂ）に示すように、実際の書籍を閲覧する際には、読者は、一般的に、見開いた書籍の左右の両側面部分を保持する。具体的には、左右の親指以外の指（人差し指，中指，薬指，小指）を用いて書籍の表紙および裏表紙から支持するとともに、左右の親指で書籍の小口を押さえて、ページが勝手にめくれることを阻止する。
【００２９】
本携帯端末１においては、図４の符号（Ａ）に示すように、メインタッチパネル１３に書籍の画像が見開き等の状態で表示され、操作者（読者）は、このメインタッチパネル１３に表示された書籍の画像を閲覧する。
【００３０】
操作者は、本携帯端末１の左右の両側面部分を保持する。具体的には、左右の親指以外の指（人差し指，中指，薬指，小指）を用いて携帯端末１の裏側から支持するとともに、右手の親指を右サイドタッチパネル１４Ｒに、左手の親指を左サイドタッチパネル１４Ｌに、それぞれ接触させる。
【００３１】
すなわち、本携帯端末１の裏面が実際の書籍の表紙や裏表示に対応し、右サイドタッチパネル１４Ｒおよび左サイドタッチパネル１４Ｌが実際の書籍の小口に対応する。
【００３２】
図４の符号（Ａ）に示すように、操作者が携帯端末１を保持した状態を、以下、閲覧保持状態という場合がある。
【００３３】
また、書籍において閲覧するページを次ページに切り替えることをページめくりという。ページめくりには、実際の書籍におけるページめくりに限定されるものではなく、電子書籍において表示中のページを次ページに切り替える処理も含まれる。
【００３４】
実際の書籍で複数ページのページめくりを連続で行なう場合（以下、連続ページめくりという）には、読者は、例えば、本を見開いた状態にして、表紙および裏表紙を裏面（下側）にし、見開いた紙面を表面（上側）に向けた状態にする。また、操作者は、右側の複数ページによって形成される小口に右親指の腹を当てて押さえることで本が勝手にめくれてしまうことを阻止する。
【００３５】
そして、例えば、紙面を右から左に連続ページめくりする場合には、操作者は、右手の人差し指や中指，薬指，小指で、右側のページを本の裏側（表紙や裏表紙がある側；下側）から表側（紙面側；上側）に押圧（裏押し）する。
【００３６】
この際、操作者が、小口に当てた右手の親指の先端側を小口から離隔させる（浮かせる）操作（指浮かせ）を行なうことで、右手の親指によって押さえられていた紙面が順次解放され、連続ページめくりが行なわれる。
【００３７】
また、操作者は、右手の親指の先端側を小口から浮かせる量、すなわち、小口における紙面表側を押圧する親指の力（押圧力）を調整することで、ページめくり量を調整する。
【００３８】
また、操作者は、小口に当てた右手の親指を、本の表側（上側）から本の裏側（下側）に移動させる（ずらす）操作（指ずらし）を行なって、右側のページを上側から順番に解放することで、右手の親指によって押さえていた紙面を順次解放し、連続ページめくりを行なう場合がある。
【００３９】
本携帯端末１においては、これらの裏押し，指浮かせおよび指ずらしの操作による連続ページめくりを実現する。
【００４０】
また、実際の書籍で１ページだけページめくりを行なう場合（以下、１ページめくりという）には、操作者（読者）は、先ず、本を開いて、表紙および裏表紙を裏面（上側）にし、紙面を表面（上側）に向けた状態にする。また、操作者は、右側の複数ページによって形成される小口に右親指の腹を当てて押さえることで本が勝手にめくれてしまうことを阻止する。
【００４１】
そして、操作者が、右手の中指や薬指，小指で、右側のページを本の裏側（表紙や裏表紙がある側；下側）から表側（紙面側；上側）に押圧（裏押し）する。
【００４２】
そして、操作者は、上述した右手の指浮かせや指ずらしを行ないながら、右手で保持した書籍を上方に瞬間的に持ち上げる操作（煽り）を行なう。これにより、右側のページが上方に付勢され、１ページ分のページめくりが行なわれる。
【００４３】
本携帯端末１においては、これらの裏押しおよび煽りの操作による１ページめくりを実現する。
【００４４】
図５は実施形態の一例としての携帯端末１における入力操作例を示す斜視図である。
【００４５】
図５においては、操作者が、右サイドタッチパネル１４Ｒに親指等の腹を接触させた状態で、表面側、すなわち、親指の先端側を右サイドタッチパネル１４Ｒから浮かせる操作（指浮かせ）を行なっている。つまり、操作者が、右サイドタッチパネル１４Ｒに親指等の腹を接触させた状態で、表面側、すなわち、親指の先端側の押圧力を軽減させる操作を行なっている。
【００４６】
このような操作により、右サイドタッチパネル１４Ｒにおいて、本携帯端末１の表面寄りの位置（第１位置：図５中の点Ｐ１参照）で検出される圧力（第１圧力）と裏面寄りの位置（第２位置：図５中の点Ｐ２参照）で検出される圧力（第２圧力）とに圧力差が生じる。このような圧力差は、左サイドタッチパネル１４Ｌにおいても同様に生じる。
【００４７】
本携帯端末１において、右サイドタッチパネル１４Ｒおよび左サイドタッチパネル１４Ｌは、それぞれにおける表面寄りの位置と裏面寄りの位置との間に生じる圧力差を検出する。
【００４８】
以下、右サイドタッチパネル１４Ｒおよび左サイドタッチパネル１４Ｌにおける表面寄りの第１位置と裏面寄りの第２位置との間に生じる圧力差を検出する機能をセンサＳ１という。後述する表示制御部１０２や表示切替速度決定部１０１は、このセンサＳ１によって検出される、右サイドタッチパネル１４Ｒおよび左サイドタッチパネル１４Ｌにおける表面寄りの位置と裏面寄りの位置との間に生じる圧力差に基づき、操作者の指浮かせを検出する。
【００４９】
従って、センサＳ１は、右サイドタッチパネル１４Ｒおよび左サイドタッチパネル１４Ｌにおける操作者の指浮かせの検出に用いられる。
【００５０】
操作者により右サイドタッチパネル１４Ｒおよび左サイドタッチパネル１４Ｌによって行なわれる指浮かせの操作は、メインタッチパネル１３に表示された電子書籍をページめくりするための入力操作として取り扱われる。すなわち、指浮かせは、右サイドタッチパネル１４Ｒおよび左サイドタッチパネル１４Ｌを用いて行なわれるページめくり入力である。
【００５１】
また、右サイドタッチパネル１４Ｒおよび左サイドタッチパネル１４Ｌは、それぞれにおける表面寄りの位置（第３位置）から裏面寄りの位置（第４位置）に向かっての接触物（具体的には操作者の親指）の移動を検知する。
【００５２】
以下、右サイドタッチパネル１４Ｒおよび左サイドタッチパネル１４Ｌにおける表面寄りの位置から裏面寄りの位置に向かう接触物の移動を検出する機能をセンサＳ２という。
【００５３】
後述する表示制御部１０２や表示切替速度決定部１０１は、このセンサＳ２によって検出される、右サイドタッチパネル１４Ｒおよび左サイドタッチパネル１４Ｌにおける表面寄りの位置から裏面寄りの位置に向かう接触物の移動に基づき、操作者の指ずらしを検出する。
【００５４】
従って、センサＳ２は、右サイドタッチパネル１４Ｒおよび左サイドタッチパネル１４Ｌにおける操作者の指ずらしの検出に用いられる。
【００５５】
操作者により右サイドタッチパネル１４Ｒおよび左サイドタッチパネル１４Ｌによって行なわれる指ずらしの操作は、メインタッチパネル１３に表示された電子書籍をページめくりするための入力操作として取り扱われる。すなわち、指ずらしは、右サイドタッチパネル１４Ｒおよび左サイドタッチパネル１４Ｌを用いて行なわれるページめくり入力である。
【００５６】
右感圧センサ１５Ｒおよび左感圧センサ１５Ｌは、接触の圧力により抵抗値が変わるセンサであり、これにより、操作者により押圧されたことを検知することができる。右感圧センサ１５Ｒおよび左感圧センサ１５Ｌとしては、既知の種々の圧力センサを用いることができる。
【００５７】
図６は実施形態の一例としての携帯端末１の裏面側の外観を例示する斜視図である。
【００５８】
この図６に示すように、右感圧センサ１５Ｒは携帯端末１の裏面における右側の短辺の近傍に、その短辺と平行に延在している。また、左感圧センサ１５Ｌは携帯端末１の裏面における左側の短辺の近傍に、その短辺と平行に延在している。
【００５９】
これらの右感圧センサ１５Ｒおよび左感圧センサ１５Ｌは、操作者が本携帯端末１を操作するために保持した状態において、本携帯端末１の裏面に、操作者の中指や薬指，小指等が触れる位置に配置されている。
【００６０】
右感圧センサ１５Ｒおよび左感圧センサ１５Ｌは、閲覧保持状態において、操作者の左右の中指や薬指，小指が当接する位置に配置されており、これにより、閲覧保持状態での操作者の指による、本携帯端末１の裏面からの押圧（裏押し）を検知する。
【００６１】
以下、右感圧センサ１５Ｒおよび左感圧センサ１５Ｌにおける押圧を検出する機能をセンサＳ３という。
【００６２】
後述する表示切替速度決定部１０１は、このセンサＳ３によって検出される、右感圧センサ１５Ｒもしくは左感圧センサ１５Ｌへの押圧に基づき、操作者の裏押しを検出する。
【００６３】
従って、センサＳ３は、本携帯端末１の裏面における操作者の裏押しの検出に用いられる。
【００６４】
操作者により右感圧センサ１５Ｒおよび左感圧センサ１５Ｌによって行なわれる裏押しの操作は、メインタッチパネル１３に表示された電子書籍をページめくりするための入力操作として取り扱われる。すなわち、裏押しは、右感圧センサ１５Ｒおよび左感圧センサ１５Ｌを用いて行なわれるページめくり入力である。
【００６５】
加速度センサ１６は、加速度センサであって、加速度を測定して本携帯端末１の傾きや動き等の姿勢の変移を検出する。なお、加速度センサ１６としては、例えば、ＭＥＭＳ（Micro Electro Mechanical System）を用いたもの等、既知の種々の加速度センサを用いることができる。
【００６６】
図７は実施形態の一例としての携帯端末１における加速度センサ１６の位置を例示する斜視図である。
【００６７】
この図７に示すように、加速度センサ１６は、携帯端末１内部の例えば中央部付近に配置されている。
【００６８】
加速度センサ１６は、本携帯端末１の右側および左側の端部の姿勢の変移を検知する。
【００６９】
図８は実施形態の一例としての携帯端末１における煽りを説明するための図である。
【００７０】
この図８においては、操作者が、本携帯端末１の右側の端部を、当該携帯端末１の表面側に煽る操作を行なっている状態を示す。すなわち、操作者は、本携帯端末１の左右の端部の当該携帯端末１の表面側へ所定速度以上で移動させている。
【００７１】
加速度センサ１６は、操作者による、本携帯端末１が、当該携帯端末１の表面側への所定の値以上での加速、すなわち、瞬間的に持ち上げる操作（煽り）を検知する。
【００７２】
以下、加速度センサ１６における、所定ベクトル（例えば携帯端末１の表面側）への所定の値以上の加速度を検出する機能をセンサＳ４という。
【００７３】
後述する表示切替速度決定部１０１は、このセンサＳ４によって検出される、所定ベクトルへの所定値以上での加速度に基づき、操作者の煽りを検出する。
【００７４】
従って、センサＳ４は、本携帯端末１の操作者による煽りの検出に用いられる。
【００７５】
操作者により行なわれる本携帯端末１の煽りの操作は、メインタッチパネル１３に表示された電子書籍をページめくりするための入力操作として取り扱われる。すなわち、煽りは、加速度センサ１６を用いて行なわれるページめくり入力である。
【００７６】
記憶装置１１は、ＲＯＭ（Read Only Memory）及びＲＡＭ（Random Access Memory）を含む記憶メモリである。記憶装置１１のＲＯＭには、携帯端末１としての各種機能を実現するためのソフトウェアプログラムやこのプログラム用のデータ類が書き込まれている。このソフトウェアプログラムには、メインタッチパネル１３や右サイドタッチパネル１４Ｒおよび左サイドタッチパネル１４Ｌの表示を制御するための表示制御プログラムが含まれる。
【００７７】
また、記憶装置１１のＲＡＭには、電子書籍の画像データ等も格納される。
【００７８】
記憶装置１１上のソフトウェアプログラムは、主制御部１０に適宜読み込まれて実行される。又、記憶装置１１のＲＡＭは、一次記憶メモリあるいはワーキングメモリとして利用される。
【００７９】
主制御部１０は、携帯端末１全体を制御するプロセッサである。主制御部１０は、マルチプロセッサであってもよい。主制御部１０は、例えばＣＰＵ（Central Processing Unit），ＭＰＵ（Micro Processing Unit），ＤＳＰ（Digital Signal Processor），ＡＳＩＣ（Application Specific Integrated Circuit），ＰＬＤ（Programmable Logic Device），ＦＰＧＡ（Field Programmable Gate Array）のいずれか一つであってもよい。また、主制御部１０は、ＣＰＵ，ＭＰＵ，ＤＳＰ，ＡＳＩＣ，ＰＬＤ，ＦＰＧＡのうちの２種類以上の要素の組み合わせであってもよい。
【００８０】
また、主制御部１０には、ＧＰＵ（Graphics Processing Unit）やＨＷＣｏｒｅとしての機能も備えている。
【００８１】
そして、主制御部１０が、上述した表示制御プログラムを実行することで、表示切替速度決定部１０１および表示制御部１０２としての機能が実現される。
【００８２】
なお、これらの表示切替速度決定部１０１および表示制御部１０２としての機能を実現するためのプログラム（表示制御プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００８３】
表示切替速度決定部１０１および表示制御部１０２としての機能を実現する際には、内部記憶装置（本実施形態では記憶装置１１のＲＡＭやＲＯＭ）に格納されたプログラムがコンピュータのマイクロプロセッサ（本実施形態では主制御部１０）によって実行される。このとき、記録媒体に記録されたプログラムをコンピュータが読み取って実行するようにしてもよい。
【００８４】
表示制御部１０２は、メインタッチパネル１３，右サイドタッチパネル１４Ｒおよび左サイドタッチパネル１４Ｌに対する画像表示を制御する。
【００８５】
例えば、表示制御部１０２は、メインタッチパネル１３，右サイドタッチパネル１４Ｒおよび左サイドタッチパネル１４Ｌに対して、各種メニュー画面等を表示させる。
【００８６】
また、表示制御部１０２は、メインタッチパネル１３に電子書籍の画像を表示させる。
【００８７】
図９は実施形態の一例としての携帯端末１のメインタッチパネル１３に電子書籍を表示させた例を示す図である。
【００８８】
この図９に示す例においては、左綴じとして構成された電子書籍を表示する例を示す。図９中において、符号（Ａ）はメインタッチパネル１３に電子書籍の表紙が表示された状態を示している。また、符号（Ｂ）は電子書籍の本文部分が見開きの状態で表示された状態を示している。さらに、符号（Ｃ）は、電子書籍の裏表紙が表示された状態を示している。
【００８９】
なお、図９中において符号Ｐ３，Ｐ４で示す操作無効領域については後述する。
【００９０】
図１０は実施形態の一例としての携帯端末１のメインタッチパネル１３における電子書籍のページめくりを説明するための図である。
【００９１】
表示制御部１０２は、メインタッチパネル１３に電子書籍の誌面画像を連続して切り替えて表示させる連続ページめくり表示を行なう。
【００９２】
この図１０中において、符号（Ａ）はメインタッチパネル１３に表示された電子書籍について、左側から右側に向けてページめくりをする例を示している。以下、メインタッチパネル１３に表示された電子書籍を左側から右側に向けてページめくりをすることを右送りという。
【００９３】
また、符号（Ｂ）はメインタッチパネル１３に表示された電子書籍について、右側から左側に向けてページ送りをする例を示している。以下、メインタッチパネル１３に表示された電子書籍を右側から左側に向けてページめくりをすることを左送りという。
【００９４】
表示制御部１０２は、上述した、メインタッチパネル１３，右サイドタッチパネル１４Ｒ，左サイドタッチパネル１４Ｌ，右感圧センサ１５Ｒ，左感圧センサ１５Ｌおよび加速度センサ１６において検出された入力操作に応じて、メインタッチパネル１３に表示された電子書籍のページめくりを行なう。
【００９５】
図１０（Ａ）に示す例において、左サイドタッチパネル１４Ｌ，左感圧センサ１５Ｌおよび加速度センサ１６によるページめくり入力が検知された場合に（図１０の符号Ｐ５参照）、表示制御部１０２は、メインタッチパネル１３に電子書籍を右送りされている状態で表示させる。
【００９６】
また、図１０（Ｂ）に示す例において、右サイドタッチパネル１４Ｒ，右感圧センサ１５Ｒおよび加速度センサ１６によるページめくり入力が検知された場合に（図１０の符号Ｐ６参照）、表示制御部１０２は、メインタッチパネル１３に電子書籍を左送りされている状態で表示させる。
【００９７】
表示制御部１０２は、前述した右感圧センサ１５Ｒおよび左感圧センサ１５Ｌによる裏押しと、右サイドタッチパネル１４Ｒおよび左サイドタッチパネル１４Ｌによる指浮かしまたは指ずらしとが検出された場合に、メインタッチパネル１３に表示された電子書籍の連続ページめくりを行なう。
【００９８】
また、この際、表示制御部１０２は、後述する表示切替速度決定部１０１によって算出されたページ送り速度に応じてページの切り替えを行なう。
【００９９】
さらに、表示制御部１０２は、前述した右感圧センサ１５Ｒおよび左感圧センサ１５Ｌによる裏押しと加速度センサ１６による煽りが検出された場合に、メインタッチパネル１３に表示された電子書籍の１ページめくりを行なう。
【０１００】
なお、メインタッチパネル１３に表紙が表示されている状態において、この表紙よりも前にはページが存在しないので、表示制御部１０２は、この表紙よりも前のページにページめくりを行なわせるための入力操作を無効にする。
【０１０１】
例えば、図９の符号（Ａ）に示す状態においては、表示制御部１０２は、符号Ｐ３で示される、左サイドタッチパネル１４Ｌおよび左感圧センサ１５Ｌによる入力検出を無視する。
【０１０２】
同様に、メインタッチパネル１３に裏表紙が表示されている状態において、この裏表紙よりも後ろにはページが存在しないので、表示制御部１０２は、この裏表紙よりも後ろのページにページめくりを行なわせるための入力操作が行なわれた場合には、この入力操作を無効にする。
【０１０３】
例えば、図９の符号（Ｃ）に示す状態においては、表示制御部１０２は、符号Ｐ４で示される、右サイドタッチパネル１４Ｒおよび右感圧センサ１５Ｒによる入力検出を無視する。
【０１０４】
本携帯端末１においては、ページめくり処理の開始や終了など、ページめくり処理の判断基準となる各センサの閾値があらかじめ設定される。
【０１０５】
閾値は、実際の書籍を用いて以下の操作をした場合に、ページめくりが始まるときや終わるときの指を押し込む力などに相当する値を、上述した各センサＳ１〜Ｓ４にかかる圧力などとして設定する。これにより、操作者が実際の書籍を用いる場合に近い操作感で本携帯端末１を操作することができる。
【０１０６】
（１）センサＳ１について
本携帯端末１の側面の右サイドタッチパネル１４Ｒおよび左サイドタッチパネル１４Ｌにおける、操作者の親指（接触物）が接触している部分であって、表面寄りの位置（第１位置）と裏面寄りの位置（第２位置）との間に生じる圧力差の閾値をｓ１とする。
【０１０７】
センサＳ１により、第１位置で検出される圧力（第１圧力）が第２位置で検出される圧力（第２圧力）よりも低く、且つ、これらの第２圧力と第１圧力との圧力差が閾値ｓ１または閾値ｓ１＿ｐ１を超えることが検出された場合に、表示制御部１０２は、操作者による指浮かせが行なわれたことを検出する。
【０１０８】
ここで、閾値ｓ１は連続ページめくりの入力操作を検出するための閾値である。また、閾値ｓ１＿ｐ１は１ページめくりの入力操作を検出するための閾値であり、閾値ｓ１＿ｐ１は、閾値ｓ１よりも小さい値である。
【０１０９】
操作者は、右サイドタッチパネル１４Ｒおよび左サイドタッチパネル１４Ｌに添える親指の指先側を右サイドタッチパネル１４Ｒおよび左サイドタッチパネル１４Ｌから離隔する角度（離隔量）を加減することで、指浮かせの量を調節する。
【０１１０】
（２）センサＳ２について、
本携帯端末１の側面の右サイドタッチパネル１４Ｒおよび左サイドタッチパネル１４Ｌにおける表面寄りの位置から裏面寄りの位置に向かう接触物の移動量（ずれ幅）の閾値をｓ２とする。
【０１１１】
センサＳ２により、右サイドタッチパネル１４Ｒおよび左サイドタッチパネル１４Ｌにおける、表面寄りの位置から裏面寄りの位置に向かう接触物の移動量が閾値ｓ２を超えることが検出された場合に、表示制御部１０２は、操作者による指ずらしが行なわれたことを検出する。
【０１１２】
操作者は、右サイドタッチパネル１４Ｒおよび左サイドタッチパネル１４Ｌに添える親指を表面寄りの位置から裏面寄りの位置に移動させる量（ずらし量）を加減することで、指ずらし量を調節する。
【０１１３】
（３）センサＳ３について
本携帯端末１の裏面の右感圧センサ１５Ｒおよび左感圧センサ１５Ｌにかかる圧力の閾値をｓ３とする。
【０１１４】
センサＳ３により、右感圧センサ１５Ｒおよび左感圧センサ１５Ｌにかかる圧力が閾値ｓ３を超えることが検出された場合に、表示制御部１０２は、操作者による裏押しが行なわれたことを検出する。
【０１１５】
操作者は、右感圧センサ１５Ｒおよび左感圧センサ１５Ｌを押圧する力（押圧力）を加減することで、裏押し量を調節する。
【０１１６】
（４）センサＳ４について
本携帯端末１の加速度センサ１６による加速度の閾値をｓ４とする。
【０１１７】
センサＳ４により、加速度センサ１６において携帯端末１の表面側への加速度が閾値ｓ４を超えることが検出された場合に、表示制御部１０２は、操作者による煽りが行なわれたことを検出する。
【０１１８】
操作者は、加速度センサ１６（本携帯端末１）を煽る速度等を加減することで、煽りを確実に行なう。
【０１１９】
なお、上述した各閾値ｓ１〜ｓ４としては、予め決められた値を設定して、記憶装置１１の所定の記憶領域に格納しておいてもよい。また、操作者等が閾値ｓ１〜ｓ４のうちの少なくとも一部を任意に設定してもよい。このような閾値ｓ１〜ｓ４を任意に設定できるようなユーザインタフェースを備えてもよい。
【０１２０】
また、実際の書籍では、用紙の厚さや判サイズなどにより、ページめくりのときにかかる力が異なる場合がある。そこで、書籍の用紙等に応じた閾値ｓ１〜ｓ４をパターン化して予め用意しておき、書籍の用紙の種類を選べるようにしておいてもよい。
【０１２１】
（５）連続ページめくりについて
表示制御部１０２は、右サイドタッチパネル１４Ｒ，左サイドタッチパネル１４Ｌ，右感圧センサ１５Ｒおよび左感圧センサ１５Ｌのいずれにおいても入力が行なわれていない場合には、表示制御部１０２はページめくりを行なわない。操作者がこれらのセンサに触れておらず、ページめくり操作を行なっていないと考えられるからである。
【０１２２】
また、右サイドタッチパネル１４Ｒおよび左サイドタッチパネル１４Ｌと、右感圧センサ１５Ｒおよび左感圧センサ１５Ｌとのいずれか一方にのみ入力がある場合も、表示制御部１０２はページめくりを行なわない。操作者がこれらのセンサの一方にのみ触れており、ページめくり操作を行なっていないと考えられるからである。
【０１２３】
（５−１）指浮かし  
表示制御部１０２は、以下の条件（i），（ii）が揃った場合に、操作者が右サイドタッチパネル１４Ｒまたは左サイドタッチパネル１４Ｌの少なくとも一方と、右感圧センサ１５Ｒおよび左感圧センサ１５Ｌの少なくとも一方に触れながら、指浮かしを行なったと判断して、電子書籍の連続ページめくりを開始する。
【０１２４】
（i）右感圧センサ１５Ｒまたは左感圧センサ１５Ｌ（センサＳ３）にかかる圧力が閾値ｓ３よりも大きい。
【０１２５】
（ii）右サイドタッチパネル１４Ｒまたは左サイドタッチパネル１４Ｌ（センサＳ１）において、表面寄り（親指の指先寄り）の位置にかかる圧力が、裏面寄り（親指の根元寄り）の位置にかかる圧力よりも小さく、且つ、これらの圧力差が閾値ｓ１よりも大きい。
【０１２６】
（５−２）指ずらし
また、表示制御部１０２は、以下の条件（iii），（iv）が揃った場合に、操作者が右サイドタッチパネル１４Ｒまたは左サイドタッチパネル１４Ｌの少なくとも一方と、右感圧センサ１５Ｒおよび左感圧センサ１５Ｌの少なくとも一方に触れながら、指ずらしを行なったと判断して、電子書籍の連続ページめくりを開始する。
【０１２７】
（iii）右感圧センサ１５Ｒまたは左感圧センサ１５Ｌ（センサＳ３）にかかる圧力が閾値ｓ３よりも大きい。
【０１２８】
（iv）右サイドタッチパネル１４Ｒまたは左サイドタッチパネル１４Ｌ（センサＳ２）において、表面寄り（親指の指先寄り）の位置から裏面寄り（親指の根元寄り）の方向への、接触物（操作者の親指）が接触しながらの移動量（ずれ幅）が閾値ｓ２よりも大きい。
【０１２９】
なお、表示制御部１０２は、ページめくり中は、条件（i），（ii）または条件（iii），（iv）が揃った側とは反対側で行なわれるページめくり入力を無視する。例えば、左サイドタッチパネル１４Ｌおよび左感圧センサ１５Ｌを用いて行なわれるページ入力操作中においては、右サイドタッチパネル１４Ｒおよび右感圧センサ１５Ｒを用いて行なわれるページ入力操作は無視する。
【０１３０】
また、右サイドタッチパネル１４Ｒ（センサＳ１）と左サイドタッチパネル１４Ｌ（センサＳ１）とのそれぞれにおいて、上記条件（i），（ii）または、条件（iii），（iv）が満たされた場合には、表示制御部１０２は、センサＳ１およびセンサＳ３の両方にかかる圧力を足して、その値が大きい側のページめくり入力に対する処理を実行する。すなわち、値が小さい側のページめくり入力に対する操作を無視する。
【０１３１】
（６）１ページめくりについて
１ページめくりを行なう場合においても、表示制御部１０２は、右サイドタッチパネル１４Ｒ，左サイドタッチパネル１４Ｌ，右感圧センサ１５Ｒおよび左感圧センサ１５Ｌのいずれにおいても入力が行なわれていない場合には、表示制御部１０２はページめくりを行なわない。操作者がこれらのセンサに触れておらず、ページめくり操作を行なっていないと考えられるからである。
【０１３２】
（６−１）煽り
また、表示制御部１０２は、以下の条件（v）〜（vii）が揃った場合に、操作者が右サイドタッチパネル１４Ｒまたは左サイドタッチパネル１４Ｌの少なくとも一方と、右感圧センサ１５Ｒおよび左感圧センサ１５Ｌの少なくとも一方に触れながら、煽りを行なったと判断して、電子書籍の１ページめくりを開始する。
【０１３３】
（v）右感圧センサ１５Ｒまたは左感圧センサ１５Ｌ（センサＳ３）にかかる圧力が閾値ｓ３よりも大きい。
【０１３４】
（vi）右サイドタッチパネル１４Ｒまたは左サイドタッチパネル１４Ｌ（センサＳ１）において、表面寄り（親指の指先寄り）の位置にかかる圧力が、裏面寄り（親指の根元寄り）の位置にかかる圧力よりも小さく、且つ、これらの圧力差が閾値ｓ１＿ｐ１よりも大きく且つ閾値ｓ１よりも小さい（すなわち、連続ページめくりの条件を満たしていない）状態である。
【０１３５】
（vii）加速度センサ１６（センサＳ４）にかかる携帯端末１の表面側への加速度が閾値ｓ４よりも大きい。
なお、ページめくりの方向は、本携帯端末１の左右方向のうち加速度が大きい側のページを反対側へめくる。
【０１３６】
表示切替速度決定部１０１は、表示制御部１０２が電子書籍の連続ページ送りを行なう場合に、メインタッチパネル１３に表示される電子書籍のページの切り替え速度を決定する。
【０１３７】
表示切替速度決定部１０１は、指浮かしによるページめくり中において、右感圧センサ１５Ｒまたは左感圧センサ１５Ｌ（センサＳ３）にかかる押圧力が大きいほどページめくり速度を大きくし、押圧力が小さいほどページめくり速度を小さくする。
【０１３８】
また、表示切替速度決定部１０１は、ページめくり中において、右サイドタッチパネル１４Ｒまたは左サイドタッチパネル１４Ｌ（センサＳ１）において検出される、表面寄りの位置と裏面寄りの位置とでの圧力差が大きいほど、ページめくり速度を大きくし、圧力差が小さいほどページめくり速度を小さくする。
【０１３９】
右サイドタッチパネル１４Ｒまたは左サイドタッチパネル１４Ｌ（センサＳ１）表面寄りの位置と裏面寄りの位置とでの圧力差が大きい場合には、操作者が親指の先を浮かせている度合いが大きく、また、圧力差が小さい場合には、操作者が親指の先を浮かせている度合いが小さいと考えられるからである。
【０１４０】
また、前述の条件（i），（ii）の少なくともいずれか１つが満たされなくなった場合には、表示切替速度決定部１０１は、ページめくりを停止させる。すなわち、ページめくり速度を０にする。
【０１４１】
一方、表示切替速度決定部１０１は、指ずらしによるページめくり中において、右感圧センサ１５Ｒまたは左感圧センサ１５Ｌ（センサＳ３）にかかる押圧力が大きいほどページめくり速度を大きくし、押圧力が小さいほどページめくり速度を小さくする。
【０１４２】
また、表示切替速度決定部１０１は、ページめくり中において、右サイドタッチパネル１４Ｒまたは左サイドタッチパネル１４Ｌ（センサＳ１）において検出される、表面寄りの位置から裏面寄りの方向への操作者の指のずれ幅が大きいほど、ページめくり速度を大きくし、ずれ幅が小さいほどページめくり速度を小さくする。
【０１４３】
また、前述の条件（iii），（iv）の少なくともいずれか１つが満たされなくなった場合には、表示切替速度決定部１０１は、ページめくりを停止させる。すなわち、ページめくり速度を０にする。
【０１４４】
図１１は実施形態の一例としての携帯端末１の表示切替速度決定部１０１によるページめくり速度の算出方法を例示する図である。
【０１４５】
この図１１中において、検出値ｄ１は、センサＳ１の検出値、すなわち、右サイドタッチパネル１４Ｒおよび左サイドタッチパネル１４Ｌにおける、表面寄りの位置と裏面寄りの位置とでの圧力差を示す。
【０１４６】
検出値ｄ２は、センサＳ２の検出値、すなわち、右サイドタッチパネル１４Ｒおよび左サイドタッチパネル１４Ｌにおける、表面寄りの位置から裏面寄りの位置への操作者の親指のずれ量を示す。
【０１４７】
検出値ｄ３は、センサＳ３の検出値、すなわち、右感圧センサ１５Ｒまたは左感圧センサ１５Ｌにかかる圧力を示す。
【０１４８】
検出値が閾値以下の場合は、ページめくりは停止、すなわち、ページめくり速度は０である。図１１に示す例においては、検出値ｄ２は閾値ｓ２よりも小さい。この場合には、ページめくり速度は０となり、ページめくりは停止される。
【０１４９】
一方、検出値が閾値を越えると、表示切替速度決定部１０１は、検出値の大きさに比例してページめくり速度を大きくする。すなわち、検出値が閾値を超えた値が大きい程、ページめくり速度を大きくする。
【０１５０】
また、複数の検出値が閾値を超えた場合には、表示切替速度決定部１０１は、閾値を超えた検出値に対応する各速度を加算する。
【０１５１】
例えば、図１１に示す例においては、検出値ｄ１，ｄ３が閾値ｓ１，ｓ３を超えている。この場合に、ページめくり速度は、検出値ｄ１に対応して求められる速度ｖ１と、検出値ｄ３に対応して求められる速度ｖ３とを加算した値、“ｖ１＋ｖ３”がページめくり速度として決定される。
【０１５２】
従って、表示切替速度決定部１０１は、右サイドタッチパネル１４Ｒおよび左サイドタッチパネル１４Ｌに対する操作入力量と、右感圧センサ１５Ｒおよび左感圧センサ１５Ｌに対する操作入力量とに基づき、電子書籍の誌面画像の表示切替速度（ページめくり速度）を決定する決定部として機能する。
【０１５３】
（Ｂ）動作
上述の如く構成された実施形態の一例としての携帯端末１における連続めくり時の処理を、図１２および図１３に示すフローチャート（ステップＡ１〜Ａ２３）に従って説明する。なお、図１２はステップＡ１〜Ａ１４の処理を示し、図１３はステップＡ１５〜Ａ２３の処理を示す。
【０１５４】
なお、以下の処理において、表示制御部１０２は、連続ページめくり状態判別フラグＦ１および連続ページめくり条件成立判別フラグＦ２を用いる。以下、連続ページめくり状態判別フラグＦ１を、単に、状態判別フラグＦ１という場合がある。また、連続ページめくり条件成立判別フラグＦ２を、単に、条件成立判別フラグＦ２という場合がある。
【０１５５】
なお、連続ページめくり状態判定フラグＦ１において、値“２”（Ｆ１＝２）は、本携帯端末１の左（Ｌ）側に備えられた、左サイドタッチパネル１４Ｌおよび左感圧センサ１５Ｌの操作によるページめくりを処理中であることを示す。
【０１５６】
以下、左サイドタッチパネル１４Ｌ（センサＳ１，Ｓ２）および左感圧センサ１５Ｌ（センサＳ３）を、装置左側のセンサといい、符号Ｓ１（Ｌ），Ｓ２（Ｌ），Ｓ３（Ｌ）で表す場合がある。また、以下、これらのセンサＳ１（Ｌ），Ｓ２（Ｌ），Ｓ３（Ｌ）によって検出された各値（検出値）を、符号ｄ１（Ｌ），ｄ２（Ｌ），ｄ３（Ｌ）で表す場合がある。
【０１５７】
また、値“１”（Ｆ１＝１）は、本携帯端末１の右（Ｒ）側に備えられた、右サイドタッチパネル１４Ｒおよび右感圧センサ１５Ｒの操作によるページめくりを処理中であることを示す。以下、右サイドタッチパネル１４Ｒ（センサＳ１，Ｓ２）および右感圧センサ１５Ｒ（センサＳ３）を、装置右側のセンサといい、符号Ｓ１（Ｒ），Ｓ２（Ｒ），Ｓ３（Ｒ）で表す場合がある。また、以下、これらのセンサＳ１（Ｒ），Ｓ２（Ｒ），Ｓ３（Ｒ）によって検出された各値（検出値）を、符号ｄ１（Ｒ），ｄ２（Ｒ），ｄ３（Ｒ）で表す場合がある。
【０１５８】
さらに、値“０”（Ｆ１＝０）は、連続ページめくりが停止中であることを示す。
【０１５９】
また、連続ページめくり条件成立判別フラグＦ２は、装置左側のセンサ用のフラグＦ２（Ｌ）と、装置右側のセンサ用のフラグＦ２（Ｒ）とを備える。
【０１６０】
そして、これらのフラグＦ２（Ｌ），Ｆ２（Ｒ）において、値“１”（すなわち、Ｆ２（Ｌ）＝１，Ｆ２（Ｒ）＝１）は、連続ページめくりを行なう条件が成立していることを示す。また、値“０”（すなわち、Ｆ２（Ｌ）＝０，Ｆ２（Ｒ）＝０）は、連続ページめくりを行なう条件が不成立であることを示す。
【０１６１】
以下、連続ページめくり条件成立判別フラグＦ２（Ｌ），Ｆ２（Ｒ）を、単に、条件成立判別フラグＦ２（Ｌ），Ｆ２（Ｒ）という場合がある。
【０１６２】
例えば、本携帯端末１の起動や、操作者による電子書籍の表示開始の指示入力等をきっかけに、メインタッチパネル１３に電子書籍が表示される。
【０１６３】
図１２のステップＡ１において、表示制御部１０２は、状態判別フラグＦ１をクリアする（Ｆ１＝０）。
【０１６４】
図１２のステップＡ２において、表示制御部１０２は、条件成立判別フラグＦ２（Ｌ），Ｒ２（Ｒ）をクリアする（Ｆ２（Ｌ）＝０，Ｆ２（Ｒ）＝０）。
【０１６５】
図１２のステップＡ３において、表示制御部１０２は、装置左側のセンサＳ１（Ｌ），Ｓ２（Ｌ），Ｓ３（Ｌ）の状態を検出する。
【０１６６】
図１２のステップＡ４において、表示制御部１０２は、センサＳ１（Ｌ）の検出値ｄ１（Ｌ）が０よりも大きく、且つ、センサＳ３（Ｌ）の検出値ｄ３（Ｌ）が０よりも大きいかを確認する。
【０１６７】
ステップＡ４における確認の結果、検出値ｄ１（Ｌ）が０よりも大きく、且つ、検出値ｄ３（Ｌ）が０よりも大きい場合には（ステップＡ４のＹＥＳルート参照）、図１２のステップＡ５に移行する。
【０１６８】
ステップＡ５においては、表示制御部１０２は、センサＳ３（Ｌ）の検出値ｄ３（Ｌ）が閾値ｓ３よりも大きいかを確認する。確認の結果、検出値ｄ３（Ｌ）が閾値ｓ３よりも大きい場合には（ステップＡ５のＹＥＳルート参照）、図１２のステップＡ６に移行する。
【０１６９】
ステップＡ６においては、表示制御部１０２は、センサＳ１（Ｌ）の検出値ｄ１（Ｌ）が閾値ｓ１よりも大きい、または、センサＳ２（Ｌ）の検出値ｄ２（Ｌ）が閾値ｓ２よりも大きいの、少なくとも一方の条件を満たしているかを確認する。
【０１７０】
確認の結果、検出値ｄ１（Ｌ）が閾値ｓ１よりも大きい、または、検出値ｄ２（Ｌ）が閾値ｓ２よりも大きい場合には（ステップＡ６のＹＥＳルート参照）、図１２のステップＡ７に移行する。
【０１７１】
ステップＡ７においては、条件成立判別フラグＦ２（Ｌ）に１を設定する（Ｆ２（Ｌ）＝１）。その後、図１３のステップＡ１５に移行する。
【０１７２】
一方、ステップＡ４における確認の結果、検出値ｄ１（Ｌ）が０よりも大きく、且つ、検出値ｄ３（Ｌ）が０よりも大きいという条件を満たしていない場合には（ステップＡ４のＮＯルート参照）、図１２のステップＡ８に移行する。
【０１７３】
また、ステップＡ５における確認の結果、検出値ｄ３（Ｌ）が閾値ｓ３以下である場合にも（ステップＡ５のＮＯルート参照）、ステップＡ８に移行する。
【０１７４】
さらに、ステップＡ６における確認の結果、検出値ｄ１（Ｌ）が閾値ｓ１よりも大きいという条件も、検出値ｄ２（Ｌ）が閾値ｓ２よりも大きいという条件も満たしていない場合にも（ステップＡ６のＮＯルート参照）、ステップＡ８に移行する。
【０１７５】
ステップＡ８においては、条件成立判別フラグＦ２（Ｌ）に０を設定する（Ｆ２（Ｌ）＝０）。その後、図１３のステップＡ１５に移行する。
【０１７６】
また、ステップＡ３と並行して、図１２のステップＡ９において、表示制御部１０２は、装置右側のセンサＳ１（Ｒ），Ｓ２（Ｒ），Ｓ３（Ｒ）の状態を検出する。
【０１７７】
図１２のステップＡ１０において、表示制御部１０２は、センサＳ１（Ｒ）の検出値ｄ１（Ｒ）が０よりも大きく、且つ、センサＳ３（Ｒ）の検出値ｄ３（Ｒ）が０よりも大きいかを確認する。
【０１７８】
ステップＡ１０における確認の結果、検出値ｄ１（Ｒ）が０よりも大きく、且つ、検出値ｄ３（Ｒ）が０よりも大きい場合には（ステップＡ１０のＹＥＳルート参照）、図１２のステップＡ１１に移行する。
【０１７９】
ステップＡ１１においては、表示制御部１０２は、センサＳ３（Ｒ）の検出値ｄ３（Ｒ）が閾値ｓ３よりも大きいかを確認する。確認の結果、検出値ｄ３（Ｒ）が閾値ｓ３よりも大きい場合には（ステップＡ１１のＹＥＳルート参照）、図１２のステップＡ１２に移行する。
【０１８０】
ステップＡ１２においては、表示制御部１０２は、センサＳ１（Ｒ）の検出値ｄ１（Ｒ）が閾値ｓ１よりも大きい、または、センサＳ２（Ｒ）の検出値ｄ２（Ｒ）が閾値ｓ２よりも大きいの、少なくとも一方を満たしているかを確認する。
【０１８１】
確認の結果、検出値ｄ１（Ｒ）が閾値ｓ１よりも大きい、または、検出値ｄ２（Ｒ）が閾値ｓ２よりも大きい場合には（ステップＡ１２のＹＥＳルート参照）、図１２のステップＡ１３に移行する。
【０１８２】
ステップＡ１３においては、条件成立判別フラグＦ２（Ｒ）に１を設定する（Ｆ２（Ｒ）＝１）。その後、図１３のステップＡ１５に移行する。
【０１８３】
一方、ステップＡ１０における確認の結果、検出値ｄ１（Ｒ）が０よりも大きく、且つ、検出値ｄ３（Ｒ）が０よりも大きいという条件を満たしていない場合には（ステップＡ１０のＮＯルート参照）、図１２のステップＡ１４に移行する。
【０１８４】
また、ステップＡ１１における確認の結果、検出値ｄ３（Ｒ）が閾値ｓ３以下である場合にも（ステップＡ１１のＮＯルート参照）、ステップＡ１４に移行する。
【０１８５】
さらに、ステップＡ１２における確認の結果、検出値ｄ１（Ｒ）が閾値ｓ１よりも大きいという条件も、検出値ｄ２（Ｒ）が閾値ｓ２よりも大きいという条件も満たしていない場合にも（ステップＡ１２のＮＯルート参照）、ステップＡ１４に移行する。
【０１８６】
ステップＡ１４においては、条件成立判別フラグＦ２（Ｒ）に０を設定する（Ｆ２（Ｒ）＝０）。その後、図１３のステップＡ１５に移行する。
【０１８７】
ステップＡ１５においては、表示制御部１０２は、連続ページめくりが停止中であるかを確認する。具体的には、表示制御部１０２は、状態判別フラグＦ１が０であるか（Ｆ１＝０）を確認する。
【０１８８】
確認の結果、連続ページめくりが停止中ではない場合（ステップＡ１５のＮＯルート参照）、すなわち、連続ページめくり中である場合には、図１３のステップＡ１６に移行する。
【０１８９】
ステップＡ１６において、表示制御部１０２は、連続ページめくり処理中の側のセンサの条件が成立しているかを確認する。すなわち、表示制御部１０２は、状態判別フラグＦ１＝２、且つ、条件成立判別フラグＦ２（Ｌ）＝１という条件、または、状態判別フラグＦ１＝１、且つ、条件成立判別フラグＦ２（Ｒ）＝１という条件の少なくとも一方が満たされているかを確認する。
【０１９０】
確認の結果、連続ページめくり処理中の側のセンサの条件が成立していない場合には（ステップＡ１６のＮＯルート参照）、図１３のステップＡ１８に移行する。ステップＡ１８においては、状態判別フラグＦ１をクリアする（Ｆ１＝０）。その後、処理は図１２のステップＡ１に戻る。
【０１９１】
また、ステップＡ１６における確認の結果、連続ページめくり処理中の側のセンサの条件が成立している場合には（ステップＡ１６のＹＥＳルート参照）、図１３のステップＡ１７に移行する。
【０１９２】
ステップＡ１７において、表示制御部１０２は、以下の（ａ），（ｂ）のいずれか一方の条件が満たされているかを確認する。
【０１９３】
（ａ）状態判別フラグＦ１＝２、すなわち、装置左側のセンサの操作によるページめく処理中であり、且つ、メインタッチパネル１３に左綴じの電子書籍の表紙だけが表示された状態（図９の符号（Ａ）参照）以外の表示状態。
【０１９４】
（ｂ）状態判別フラグＦ１＝１、すなわち、装置右側のセンサの操作によるページめく処理中であり、且つ、メインタッチパネル１３に左綴じの電子書籍の裏表紙だけが表示された状態（図９の符号（Ｃ）参照）以外の表示状態。
【０１９５】
ステップＡ１７における確認の結果、条件（ａ），（ｂ）のいずれの条件も満たされていない場合には（ステップＡ１７のＮＯルート参照）、ステップＡ１８に移行する。
【０１９６】
一方、ステップＡ１７における確認の結果、条件（ａ），（ｂ）のいずれかの条件が満たされている場合には（ステップＡ１７のＹＥＳルート参照）、ステップＡ２２に移行する。
【０１９７】
また、ステップＡ１５における確認の結果、連続ページめくりが停止中である場合（ステップＡ１５のＹＥＳルート参照）、図１３のステップＡ１９に移行する。
【０１９８】
ステップＡ１９において、表示制御部１０２は、装置左側のセンサおよび装置右側のセンサの両方において連続ページめくりを行なう条件が成立しているかを確認する。すなわち、表示制御部１０２は、条件成立判別フラグＦ２（Ｌ）＝１、且つ、条件成立判別フラグＦ２（Ｒ）＝１であるかを確認する。
【０１９９】
比較の結果、装置左側のセンサおよび装置右側のセンサの両方において連続ページめくりを行なう条件が成立しているのではない場合には（ステップＡ１９のＮＯルート参照）、図１３のステップＡ２０をスキップして図１３のステップＡ２１に移行する。
【０２００】
また、ステップＡ１９における確認の結果、装置左側のセンサおよび装置右側のセンサの両方において連続ページめくりを行なう条件が成立している場合には（ステップＡ１９のＹＥＳルート参照）、図１３のステップＡ２０に移行する。
【０２０１】
ステップＡ２０において、表示制御部１０２は、装置左側のセンサＳ１（Ｌ），Ｓ３（Ｌ）の各検出値ｄ１（Ｌ），ｄ３（Ｌ）の合計と、装置右側のセンサＳ１（Ｒ），Ｓ３（Ｒ）の各検出値ｄ１（Ｒ），ｄ３（Ｒ）の合計とを比較する。そして、表示制御部１０２は、この比較の結果に応じて、条件成立判別フラグＦ２をクリアする。
【０２０２】
すなわち、装置左側のセンサＳ１（Ｌ），Ｓ３（Ｌ）の各検出値ｄ１（Ｌ），ｄ３（Ｌ）の合計が、装置右側のセンサＳ１（Ｒ），Ｓ３（Ｒ）の各検出値ｄ１（Ｒ），ｄ３（Ｒ）の合計よりも大きい場合には、表示制御部１０２は、装置右側のセンサの条件成立判別フラグＦ２（Ｒ）をクリアする。
【０２０３】
ｄ１（Ｌ）+ｄ３（Ｌ）＞ｄ１（Ｒ）+ｄ３（Ｒ）→Ｆ２（Ｒ）=０
また、装置左側のセンサＳ１（Ｌ），Ｓ３（Ｌ）の各検出値ｄ１（Ｌ），ｄ３（Ｌ）の合計が、装置右側のセンサＳ１（Ｒ），Ｓ３（Ｒ）の各検出値ｄ１（Ｒ），ｄ３（Ｒ）の合計よりも小さい場合には、表示制御部１０２は、装置左側のセンサの条件成立判別フラグＦ２（Ｌ）をクリアする。
【０２０４】
ｄ１（Ｌ）＋ｄ３（Ｌ）＜ｄ１（Ｒ）＋ｄ３（Ｒ）→Ｆ２（Ｌ）＝０
このように、装置左側のセンサおよび装置右側のセンサの両方において連続ページめくりを行なう条件が成立している場合には、表示制御部１０２は、検出値の合計が小さい側を連続ページめくりを行なう条件が不成立とみなす。そして、検出値の合計が大きい側で連続ページめくりを行なう。
【０２０５】
なお、装置左側のセンサＳ１（Ｌ），Ｓ３（Ｌ）の各検出値ｄ１（Ｌ），ｄ３（Ｌ）の合計が、装置右側のセンサＳ１（Ｒ），Ｓ３（Ｒ）の各検出値ｄ１（Ｒ），ｄ３（Ｒ）の合計と同じ場合には、両方とも連続ページめくりを行なう条件が不成立とみなす。
【０２０６】
その後、図１３のステップＡ２１において、表示制御部１０２は、装置左側のセンサおよび装置右側のセンサのいずれか一方において連続ページめくりを行なう条件が成立しているかを確認する。
【０２０７】
すなわち、表示制御部１０２は、条件成立判別フラグＦ２（Ｌ）＝１、または、条件成立判別フラグＦ２（Ｒ）＝１のいずれかであるかを確認する。
【０２０８】
確認の結果、装置左側のセンサおよび装置右側のセンサのいずれか一方において連続ページめくりを行なう条件が成立していない場合には（ステップＡ２１のＮＯルート参照）、図１２のステップＡ１に戻る。連続ページめくり停止中、且つ、左右両方とも条件不成立の状態においては、ページめくりを行なわない。
【０２０９】
ステップＡ２１における確認の結果、装置左側のセンサおよび装置右側のセンサのいずれか一方において連続ページめくりを行なう条件が成立している場合には（ステップＡ２１のＹＥＳルート参照）、図１３のステップＡ２２に移行する。
【０２１０】
ステップＡ２２においては、表示切替速度決定部１０１が、連続ページめくりを行なう条件が成立した側、または、連続ページめくり処理中の側の検出値のうち、閾値を超えた検出値からページめくり速度を算出する。
【０２１１】
その後、図１３のステップＡ２３において、表示制御部１０２は、表示切替速度決定部１０１によって決定されたページめくり速度に従って、連続ページめくり処理を行なう。すなわち、決定されたページめくり速度に合わせてメインタッチパネル１３に表示させる電子書籍のページを順次切り換える。その後、図１２のステップＡ１に戻る。
【０２１２】
次に、実施形態の一例としての携帯端末１における１ページめくり時の処理を、図１４および図１５に示すフローチャート（ステップＢ１〜Ｂ２０）に従って説明する。なお、図１４はステップＢ１〜Ｂ１６の処理を示し、図１５はステップＢ１７〜Ｂ２０の処理を示す。
【０２１３】
なお、以下の処理において、表示制御部１０２は、上述した連続ページめくり状態判別フラグＦ１および連続ページめくり条件成立判別フラグＦ２（Ｌ），Ｆ２（Ｒ）に加えて、１ページめくり条件成立判定フラグＦ３を用いる。
【０２１４】
また、１ページめくり条件成立判別フラグＦ３は、装置左側のセンサ用のフラグＦ３（Ｌ）と、装置右側のセンサ用のフラグＦ３（Ｒ）、および、加速度センサ１６（センサＳ４）用のフラグＦ３（Ｓ４）を備える。
【０２１５】
そして、これらのフラグＦ３（Ｌ），Ｆ３（Ｒ）およびＦ３（Ｓ４）において、値“１”（すなわち、Ｆ２（Ｌ）＝１，Ｆ２（Ｒ）＝１, Ｆ３（Ｓ４）＝１）は、１ページめくりを行なう条件が成立していることを示す。また、値“０”（すなわち、Ｆ２（Ｌ）＝０，Ｆ２（Ｒ）＝０，Ｆ３（Ｓ４）＝０）は、１ページめくりを行なう条件が不成立であることを示す。
【０２１６】
以下、１ページめくり条件成立判別フラグＦ３（Ｌ），Ｆ３（Ｒ），Ｆ３（Ｓ４）を、単に、条件成立判別フラグＦ３（Ｌ），Ｆ３（Ｒ），Ｆ３（Ｓ４）という場合がある。
【０２１７】
本携帯端末１の起動や、操作者による電子書籍の表示開始の指示入力等をきっかけに、メインタッチパネル１３に電子書籍が表示される。
【０２１８】
図１４のステップＢ１において、表示制御部１０２は、条件成立判別フラグＦ３（Ｌ），Ｆ３（Ｒ）およびＦ３（Ｓ４）をクリアする（Ｆ３（Ｌ）＝０，Ｆ３（Ｒ）＝０，Ｆ３（Ｓ４）＝０）。
【０２１９】
図１４のステップＢ２において、表示制御部１０２は、連続ページめくりの停止中であり、且つ、連続ページめくり条件が不成立であるかを確認する。具体的には、状態判別フラグＦ１＝０，条件成立判別フラグＦ２（Ｌ）＝０および条件成立判別フラグＦ２（Ｒ）＝０であるかを確認する。
【０２２０】
確認の結果、連続ページめくり中である場合や、連続ページめくり条件が成立している場合には（ステップＢ２のＮＯルート参照）、何もせずにステップＢ１に戻る。
【０２２１】
また、ステップＢ２における確認の結果、連続ページめくりの停止中であり、且つ、連続ページめくり条件が不成立である場合には（ステップＢ２のＹＥＳルート参照）、図１４のステップＢ３，Ｂ８，Ｂ１３に移行する。これらのステップＢ３，Ｂ８，Ｂ１３の各処理は並行して行なってもよく、また、適宜順序付けて行なってもよい。
【０２２２】
ステップＢ３において、表示制御部１０２は、装置左側のセンサＳ１（Ｌ），Ｓ３（Ｌ）の状態を検出する。
【０２２３】
図１４のステップＢ４において、表示制御部１０２は、センサＳ１（Ｌ）の検出値ｄ１（Ｌ）が０よりも大きく、且つ、センサＳ３（Ｌ）の検出値ｄ３（Ｌ）が０よりも大きいかを確認する。
【０２２４】
ステップＢ４における確認の結果、検出値ｄ１（Ｌ）が０よりも大きく、且つ、検出値ｄ３（Ｌ）が０よりも大きい場合には（ステップＢ４のＹＥＳルート参照）、図１４のステップＢ５に移行する。
【０２２５】
ステップＢ５においては、表示制御部１０２は、センサＳ１（Ｌ）の検出値ｄ１（Ｌ）が閾値ｓ１＿ｐ１よりも大きい、且つ、センサＳ３（Ｌ）の検出値ｄ３（Ｌ）が閾値ｓ３よりも大きいの、少なくとも一方の条件を満たしているかを確認する。
【０２２６】
確認の結果、検出値ｄ１（Ｌ）が閾値ｓ１＿ｐ１よりも大きい、且つ、検出値ｄ３（Ｌ）が閾値ｓ３よりも大きい場合には（ステップＢ５のＹＥＳルート参照）、図１４のステップＢ６に移行する。
【０２２７】
ステップＢ６においては、条件成立判別フラグＦ３（Ｌ）に１を設定する（Ｆ３（Ｌ）＝１）。その後、図１５のステップＢ１７に移行する。
【０２２８】
一方、ステップＢ４における確認の結果、検出値ｄ１（Ｌ）が０よりも大きく、且つ、検出値ｄ３（Ｌ）が０よりも大きいという条件を満たしていない場合には（ステップＢ４のＮＯルート参照）、図１４のステップＢ７に移行する。
【０２２９】
また、ステップＢ５における確認の結果、検出−値ｄ１（Ｌ）が閾値ｓ１＿ｐ１よりも大きく、且つ、検出値ｄ３（Ｌ）が閾値ｓ３よりも大きいという条件も満たしていない場合にも（ステップＢ５のＮＯルート参照）、ステップＢ７に移行する。
【０２３０】
ステップＢ７においては、条件成立判別フラグＦ３（Ｌ）に０を設定する（Ｆ３（Ｌ）＝０）。その後、図１５のステップＢ１７に移行する。
【０２３１】
また、ステップＢ３と並行して、図１４のステップＢ８において、表示制御部１０２は、装置右側のセンサＳ１（Ｒ），Ｓ３（Ｒ）の状態を検出する。
【０２３２】
図１４のステップＢ９において、表示制御部１０２は、センサＳ１（Ｒ）の検出値ｄ１（Ｒ）が０よりも大きく、且つ、センサＳ３（Ｒ）の検出値ｄ３（Ｒ）が０よりも大きいかを確認する。
【０２３３】
ステップＢ９における確認の結果、検出値ｄ１（Ｒ）が０よりも大きく、且つ、検出値ｄ３（Ｒ）が０よりも大きい場合には（ステップＢ９のＹＥＳルート参照）、図１４のステップＢ１０に移行する。
【０２３４】
ステップＢ１０においては、表示制御部１０２は、センサＳ１（Ｒ）の検出値ｄ１（Ｒ）が閾値ｓ１＿ｐ１よりも大きい、且つ、センサＳ３（Ｒ）の検出値ｄ３（Ｒ）が閾値ｓ３よりも大きいの、少なくとも一方の条件を満たしているかを確認する。
【０２３５】
確認の結果、検出値ｄ１（Ｒ）が閾値ｓ１＿ｐ１よりも大きい、且つ、検出値ｄ３（Ｒ）が閾値ｓ３よりも大きい場合には（ステップＢ１０のＹＥＳルート参照）、図１４のステップＢ１１に移行する。
【０２３６】
ステップＢ１１においては、条件成立判別フラグＦ３（Ｒ）に１を設定する（Ｆ３（Ｒ）＝１）。その後、図１５のステップＢ１７に移行する。
【０２３７】
一方、ステップＢ９における確認の結果、検出値ｄ１（Ｒ）が０よりも大きく、且つ、検出値ｄ３（Ｒ）が０よりも大きいという条件を満たしていない場合には（ステップＢ９のＮＯルート参照）、図１４のステップＢ１２に移行する。
【０２３８】
また、ステップＢ１０における確認の結果、検出値ｄ１（Ｒ）が閾値ｓ１＿ｐ１よりも大きく、且つ、検出値ｄ３（Ｒ）が閾値ｓ３よりも大きいという条件も満たしていない場合にも（ステップＢ１０のＮＯルート参照）、ステップＢ１２に移行する。
【０２３９】
ステップＢ１２においては、条件成立判別フラグＦ３（Ｒ）に０を設定する（Ｆ３（Ｒ）＝０）。その後、図１５のステップＢ１７に移行する。
【０２４０】
また、ステップＢ３，Ｂ８と並行して、図１４のステップＢ１３において、表示制御部１０２は、センサＳ４（加速度センサ１６）の状態を検出する。すなわち、表示制御部１０２は、加速度センサ１６の速度と煽りの向きとを検出する。なお、加速度センサ１６による速度の検出結果を、検出値ｄ４（速度）といい、加速度センサ１６による煽りの向きの検出結果を検出値ｄ４（煽りの向き）という。
【０２４１】
図１４のステップＢ１４において、表示制御部１０２は、センサＳ４の検出値ｄ４（速度）が閾値ｓ４よりも大きいかを確認する。
【０２４２】
確認の結果、検出値ｄ４（速度）が閾値ｓ４よりも大きい場合には（ステップＢ１４のＹＥＳルート参照）、図１４のステップＢ１５に移行する。
【０２４３】
ステップＢ１５においては、条件成立判別フラグＦ３（Ｓ４）に１を設定する（Ｆ３（Ｓ４）＝１）。その後、図１５のステップＢ１７に移行する。
【０２４４】
一方、ステップＢ１４における確認の結果、検出値ｄ４（速度）が閾値ｓ４以下の場合には（ステップＢ１４のＮＯルート参照）、図１４のステップＢ１６に移行する。
【０２４５】
ステップＢ１６においては、条件成立判別フラグＦ３（Ｓ４）に０を設定する（Ｆ３（Ｓ４）＝０）。その後、図１５のステップＢ１７に移行する。
【０２４６】
ステップＢ１７においては、表示制御部１０２は、センサＳ４（加速度センサ１６）において１ページめくりを行なう条件が成立しているかを確認する。
【０２４７】
すなわち、表示制御部１０２は、条件成立判別フラグＦ３（Ｓ４）＝１であるかを確認する。
【０２４８】
確認の結果、センサＳ４における１ページめくりを行なう条件が成立していない場合には（ステップＢ１７のＮＯルート参照）、煽りが弱い場合に相当し、何もせずに、図１４のステップＢ１に戻る。
【０２４９】
ステップＢ１７における確認の結果、センサＳ４において１ページめくりを行なう条件が成立している場合には（ステップＢ１７のＹＥＳルート参照）、図１５のステップＢ１８に移行する。
【０２５０】
ステップＢ１８において、表示制御部１０２は、センサＳ４の検出値ｄ４（煽りの向き）から判別した煽りの方向側のセンサＳ１およびＳ３の、１ページめくりを行なう条件が成立しているかを確認し、この確認結果に応じてページめくり方向を決定する。
【０２５１】
例えば、装置左側から右手前方向への煽りの場合、表示制御部１０２は、条件成立判別フラグＦ３（Ｌ）＝１であるかを確認する。フラグＦ３（Ｌ）＝１である場合には、ページめくり方向は、“左ページを右へ”とする。
【０２５２】
また、装置右側から左手前方向への煽りの場合、表示制御部１０２は、条件成立判別フラグＦ３（Ｒ）＝１であるかを確認する。フラグＦ３（Ｒ）＝１である場合には、ページめくり方向は、“右ページを左へ”とする。
【０２５３】
なお、ステップＢ１８において、煽りの方向側のセンサＳ１およびＳ３の１ページめくりを行なう条件が成立していない場合には（ステップＢ１８のＮＯルート参照）、煽った側の指の圧力差や圧力が弱い場合に相当し、何もせずに、図１４のステップＢ１に戻る。
【０２５４】
ステップＢ１８において、煽りの方向側のセンサＳ１およびＳ３の１ページめくりを行なう条件が成立している場合には（ステップＢ１８のＹＥＳルート参照）、ステップＢ１９に移行する。
【０２５５】
ステップＢ１９においては、表示制御部１０２は、以下の（ａ），（ｂ）のいずれか一方の条件が満たされているかを確認する。
【０２５６】
（ａ）ページめくり方向が“左ページを右へ”であり、且つ、メインタッチパネル１３に左綴じの電子書籍の表紙だけが表示された状態（図９の符号（Ａ）参照）以外の表示状態。
【０２５７】
（ｂ）ページめくり方向が”右ページを左へ“であり、且つ、メインタッチパネル１３に左綴じの電子書籍の裏表紙だけが表示された状態（図９の符号（Ｃ）参照）以外の表示状態。
【０２５８】
ステップＢ１９における確認の結果、条件（ａ），（ｂ）のいずれの条件も満たされていない場合には（ステップＢ１９のＮＯルート参照）、表紙または裏表紙までページめくりがされているため、これ以上のページめくりを行なうことができない場合に相当する。そこで、何もせずに図１４のステップＢ１に戻る。
【０２５９】
一方、ステップＢ１９における確認の結果、条件（ａ），（ｂ）のいずれかの条件が満たされている場合には（ステップＢ１９のＹＥＳルート参照）、図１５のステップＢ２０に移行する。
【０２６０】
ステップＢ２０においては、確定した方向へ１ページ分のページめくりを行ない、その後、図１４のステップＢ１に戻る。
【０２６１】
（Ｃ）効果
このように、実施形態の一例としての携帯端末１によれば、右サイドタッチパネル１４Ｒおよび左サイドタッチパネル１４Ｌを備え、これらの右サイドタッチパネル１４Ｒおよび左サイドタッチパネル１４Ｌを書籍の小口に対応させる。
【０２６２】
すなわち、操作者は、右サイドタッチパネル１４Ｒおよび左サイドタッチパネル１４Ｌに添えた親指で指浮かせや指ずらしを行なうことで、電子書籍において連続ページめくりの操作を実際の書籍を用いる場合と同様の操作感で実現することができる。
【０２６３】
また、これにより、携帯端末１に不慣れな操作者であっても、電子書籍のページめくりを感覚的に行なうことができる。
【０２６４】
この際、右サイドタッチパネル１４Ｒおよび左サイドタッチパネル１４Ｌにおいて、本携帯端末１の表面寄りの位置と裏面寄りの位置との間に生じる圧力差（検出値ｄ１）を検知し、検出値が閾値を超えた値が大きい程、ページめくり速度を大きくする。これによっても、電子書籍において連続ページめくりの操作を実際の書籍を用いる場合と同様の操作感で実現することができる。
【０２６５】
また、右サイドタッチパネル１４Ｒおよび左サイドタッチパネル１４Ｌにおいて、本携帯端末１の表面寄りの位置から裏面寄りの位置への操作者の親指のずれ量（検出値ｄ２）を検知し、検出値が閾値を超えた値が大きい程、ページめくり速度を大きくする。これによっても、電子書籍において連続ページめくりの操作を実際の書籍を用いる場合と同様の操作感で実現することができる。
【０２６６】
さらに、右感圧センサ１５Ｒおよび左感圧センサ１５Ｌにおいて、操作者の親指以外の指による圧力（検出値ｄ３）を検知し、検出値が閾値を超えた値が大きい程、ページめくり速度を大きくする。これによっても、電子書籍において連続ページめくりの操作を実際の書籍を用いる場合と同様の操作感で実現することができる。
【０２６７】
また、本携帯端末１が操作者により閲覧保持状態となった姿勢で、加速度センサ１６（センサＳ４）により検出される、携帯端末１の表面側への加速度が閾値ｓ４を超える場合に、表示制御部１０２は、操作者による煽りが行なわれたことを検出する。そして、表示制御部１０２は、操作者による煽りが行なわれたことを検出すると１ページめくりを行なう。これにより、電子書籍において１ページめくりの操作を実際の書籍を用いる場合と同様の操作感で実現することができる。
【０２６８】
また、上述する指浮かせや指ずらし、煽りの検知を、右サイドタッチパネル１４Ｒ，左サイドタッチパネル１４Ｌ，右感圧センサ１５Ｒ，左感圧センサ１５Ｌおよび加速度センサ１６を用いて実現する。これにより、指浮かせや指ずらし、煽りの検知を行なうために専用の可動部品を備える必要がない。従って、故障等の発生を低減することができるとともに、製造コストや運用コストを低減することもできる。
【０２６９】
（Ｄ）その他
本発明は上述した実施形態に限定されるものではなく、本発明の趣旨を逸脱しない範囲で種々変形して実施することができる。
【０２７０】
例えば、上述した実施形態においては、右サイドタッチパネル１４Ｒおよび左サイドタッチパネル１４Ｌを書籍の小口に見立てて、操作者による指浮かせや指ずらしの検出に用いているが、これに限定されるものではない。
【０２７１】
図１６は実施形態の変形例としての携帯端末１の右サイドタッチパネル１４Ｒを示す部分斜視図である。
【０２７２】
この図１６に示す例においては、右サイドタッチパネル１４Ｒに、書籍の小口の画像が表示されている。このように、右サイドタッチパネル１４Ｒおよび左サイドタッチパネル１４Ｌに書籍の小口の画像を表示させてもよい。
【０２７３】
また、この際、アニメーション等を用いて、ページめくりを行なうことで増減するページ数に応じて、小口の画像を変化させてもよい。
【０２７４】
図１６中において、符号（Ａ）は右サイドタッチパネル１４Ｒにページ数が多い状態の小口の画像を表示した状態を示し、符号（Ｂ）は右サイドタッチパネル１４Ｒにページ数が少なくなった状態の小口の画像を表示した状態を示している。
【０２７５】
これにより、本携帯端末１の操作者に、実際の書籍を用いる場合と同様の操作感を与えることができる。
【０２７６】
また、上述した実施形態においては、右感圧センサ１５Ｒおよび左感圧センサ１５Ｌが、携帯端末１の裏面における左右の各短辺の近傍に、これらの短辺と平行に延在しているが、これに限定されるものではない。
【０２７７】
図１７は、実施形態の変形例としての携帯端末１の裏面側の外観を例示する図である。
【０２７８】
表紙と裏表紙に添えられる指の位置は状況や個人などにより異なるため、それを考慮して、図１７中の符号（Ａ）〜（Ｃ）に示すように、右感圧センサ１５Ｒおよび左感圧センサ１５Ｌの大きさや位置を適宜変更して実施することができる。
【０２７９】
また、携帯端末１の裏面全体にわたって感圧センサやタッチセンサ内蔵ディスプレイを配置し、右感圧センサ１５Ｒおよび左感圧センサ１５Ｌとしての機能を、これらの感圧センサやタッチセンサ内蔵ディスプレイによって実現してもよい。
【０２８０】
さらに、上述した装置構成や機能は適宜取捨選択を可能とする。例えば、右感圧センサ１５Ｒおよび左感圧センサ１５Ｌにおいて、指浮かせと指ずらしとの両方をページめくり入力とする必要はなく、少なくとも、これらのうち一方のみに基づいてページめくりを行なってもよい。
【０２８１】
また、本携帯端末１におけるページめくりは、上述した右サイドタッチパネル１４Ｒ，左サイドタッチパネル１４Ｌ，右感圧センサ１５Ｒ，左感圧センサ１５Ｌおよび加速度センサ１６を介して行なわれた入力操作に基づいて行なわれることに限定されるものではない。
【０２８２】
例えば、表示制御部１０２は、操作者がメインタッチパネル１３に指を触れて行なうフリック等の入力操作に応じて、電子書籍のページめくりを行なってもよい。
【０２８３】
また、表示制御部１０２は、メインタッチパネル１３にページめくり用のボタンやスライドバー，メニュー等を表示させ、操作者がこれらのボタンやスライドバー，メニュー等に対して行なう操作入力に応じて、ページめくりを行なってもよい。
【０２８４】
また、上述した開示により本実施形態を当業者によって実施・製造することが可能である。
【０２８５】
（Ｅ）付記
【０２８６】
（付記１）
電子書籍閲覧装置であって、
電子書籍の誌面画像を表示させる表示画面と、
当該電子書籍閲覧装置の側面に配置された第１のセンサと、
当該電子書籍閲覧装置における前記表示画面とは反対側面に配置された第２のセンサと、
前記第１のセンサに対する操作入力量と、前記第２のセンサに対する操作入力量とに基づき、前記誌面画像の表示切替速度を決定する決定部と、
決定された前記表示切替速度で、前記表示画面に前記誌面画像を連続して切り替えて表示させる連続ページめくり表示を行なう表示制御部と
を備えることを特徴とする、電子書籍閲覧装置。
【０２８７】
（付記２）
前記決定部が、前記第１のセンサにおいて、前記表示画面寄りの第１位置で検出される第１圧力が前記反対側面寄りの第２位置で検出される第２圧力よりも低く、且つ、前記第２圧力と前記第１圧力との圧力差が大きいほど、前記表示切替速度を大きくすることを特徴とする、付記１記載の電子書籍閲覧装置。
【０２８８】
（付記３）
前記決定部が、前記第１のセンサにおいて、前記表示画面寄りの第３位置から前記反対側面寄りの第４位置への接触物の移動量が大きいほど、前記表示切替速度を大きくすることを特徴とする、付記１または２記載の電子書籍閲覧装置。
【０２８９】
（付記４）
前記決定部が、前記第２のセンサにおいて検出される圧力が大きいほど、前記表示切替速度を大きくすることを特徴とする、付記１〜３のいずれか１項に記載の電子書籍閲覧装置。
【０２９０】
（付記５）
当該電子書籍閲覧装置における加速度を検出する第３のセンサを備え、
前記表示制御部が、前記連続ページめくり表示が停止中であり、且つ、前記第１のセンサおよび前記第２のセンサの検出値が前記連続ページめくりを開示する条件を満たしていない場合において、前記第３のセンサにおいて検出される加速度が閾値を超えると、前記電子書籍の誌面画像を１ページ切り替えて表示させる１ページめくりを行なうことを特徴とする、付記１〜４のいずれか１項に記載の電子書籍閲覧装置。
【０２９１】
（付記６）
プロセッサを備える電子書籍閲覧装置において、
表示画面に電子書籍の誌面画像を表示させ、
当該電子書籍閲覧装置の側面に配置された第１のセンサに対する操作入力量と、当該電子書籍閲覧装置における前記表示画面とは反対側面に配置された第２のセンサに対する操作入力量とに基づき、前記誌面画像の表示切替速度を決定し、
決定された前記表示切替速度で、前記表示画面に前記誌面画像を連続して切り替えて表示させる連続ページめくり表示を行なう
処理を、前記プロセッサに実行させる、表示制御プログラム。
【０２９２】
（付記７）
前記第１のセンサにおいて、前記表示画面寄りの第１位置で検出される第１圧力が前記反対側面寄りの第２位置で検出される第２圧力よりも低く、且つ、前記第２圧力と前記第１圧力との圧力差が大きいほど、前記表示切替速度を大きくする
処理を、前記プロセッサに実行させる、付記６記載の表示制御プログラム。
【０２９３】
（付記８）
前記第１のセンサにおいて、前記表示画面寄りの第３位置から前記反対側面寄りの第４位置への接触物の移動量が大きいほど、前記表示切替速度を大きくする
処理を、前記プロセッサに実行させる、付記６または７記載の表示制御プログラム。
【０２９４】
（付記９）
前記第２のセンサにおいて検出される圧力が大きいほど、前記表示切替速度を大きくする
処理を、前記プロセッサに実行させる、付記６〜８のいずれか１項に記載の表示制御プログラム。
【０２９５】
（付記１０）
前記連続ページめくり表示が停止中であり、且つ、前記第１のセンサおよび前記第２のセンサの検出値が前記連続ページめくりを開示する条件を満たしていない場合において、前記電子書籍閲覧装置における加速度を検出する第３のセンサにおいて検出される前記加速度が閾値を超えると、前記電子書籍の誌面画像を１ページ切り替えて表示させる１ページめくりを行なう
処理を、前記プロセッサに実行させる、付記６〜９のいずれか１項に記載の表示制御プログラム。
【符号の説明】
【０２９６】
１    携帯端末
１０    主制御部
１１    記憶装置
１３    メインタッチパネル（表示画面）
１４Ｒ    右サイドタッチパネル（第１のセンサ）
１４Ｌ    左サイドタッチパネル（第１のセンサ）
１５Ｒ    右感圧センサ（第２のセンサ）
１５Ｌ    左感圧センサ（第２のセンサ）
１６    加速度センサ（第３のセンサ）
１０１    表示切替速度決定部（決定部）
１０２    表示制御部
【図１】
2017182167.tif 000003
【図２】
2017182167.tif 000004
【図３】
2017182167.tif 000005
【図４】
2017182167.tif 000006
【図５】
2017182167.tif 000007
【図６】
2017182167.tif 000008
【図７】
2017182167.tif 000009
【図８】
2017182167.tif 000010
【図９】
2017182167.tif 000011
【図１０】
2017182167.tif 000012
【図１１】
2017182167.tif 000013
【図１２】
2017182167.tif 000014
【図１３】
2017182167.tif 000015
【図１４】
2017182167.tif 000016
【図１５】
2017182167.tif 000017
【図１６】
2017182167.tif 000018
【図１７】
2017182167.tif 000019